(57)【要約】      （修正有）【課題】夏場や高温作業時、あるいは運動時における流れ出る汗を効率的に吸収することができると共に、交換容易性・装着容易性・装着安定性を常時得られる被服用汗吸収パッドを提供する。【解決手段】被服用汗吸収パッド１０は、被服の内側に装着されるもので、高分子吸水ポリマーから成る汗吸着材２０を表層シート体２１で包含して所要長さ・幅を有するパッド本体１１に成形して成り、パッド本体の裏面には被服への装着手段２２が備えられると共に、パッド本体の表面所定箇所には被服に対する装着位置を決定するための一乃至複数の位置決め表記２３が付されて成る。【選択図】図１
0003220266.tif 000002
【実用新案登録請求の範囲】
【請求項１】
被服の内側に装着される汗吸収パッドであって、
高分子吸水ポリマーから成る汗吸着材を表層シート体で包含して所要長さ・幅を有するパッド本体に成形して成り、
該パッド本体の裏面には被服への装着手段が備えられると共に、該パッド本体の表面所定箇所には被服に対する装着位置を決定するための一乃至複数の位置決め表記が付されて成ることを特徴とする被服用汗吸収パッド。
【請求項２】
前記パッド本体の裏面において、表層シート体と装着手段との間に樹脂フィルムが介在されて成ることを特徴とする請求項１に記載の被服用汗吸収パッド。
【請求項３】
前記パッド本体における表層シート体あるいは汗吸着材のいずれか一方若しくは両方に、清涼感を付与する清涼成分あるいは芳香作用を付与する香料成分のいずれか一方もしくは両方が塗布あるいは含浸されて成ることを特徴とする請求項１または請求項２に記載の被服用汗吸収パッド。
【請求項４】
前記パッド本体における表層シート体に、銀ナノ粒子を担持させて成ることを特徴とする請求項１乃至請求項３のいずれか記載の被服用汗吸収パッド。
【請求項５】
前記パッド本体の表面に、エンボス加工が施されて成ることを特徴とする請求項１乃至請求項４のいずれか記載の被服用汗吸収パッド。
【請求項６】
前記被服がワイシャツであり、該ワイシャツの襟部に装着されることを特徴とする請求項１乃至請求項５のいずれか記載の被服用汗吸収パッド。
【請求項７】
前記被服がスポーツ用ブラジャーであり、該スポーツ用ブラジャーのアンダーバスト部に装着されることを特徴とする請求項１乃至請求項５のいずれか記載の被服用汗吸収パッド。
【考案の詳細な説明】
【技術分野】
【０００１】
本考案は、ワイシャツの襟部やスポーツ用ブラジャー（通称スポーツブラ）のアンダーバスト部といった被服所定箇所に取り付けられ、人体から出る汗を吸収することが可能な汗吸収パッドに関するものである。
【背景技術】
【０００２】
夏場や高温の作業場、運動時などにおいて、人は多くの汗を発汗する。この人間における発汗作用は、汗が蒸発するときの気化熱により人体の体温を下げるための必要な生理現象であって、発汗自体を防ぐことは熱中症の発症など人体に悪影響を及ぼすため、決して好ましいことではない。しかしながら、汗を放置すると、その湿気により細菌の増殖を招いて独特の臭気を伴うこととなる。
【０００３】
特にワイシャツを着ているときの発汗は、首回りの直接的な発汗のほか、顔面や頭部の汗が首筋を伝って襟部に染み込んでしまい、湿って不快感を伴うと共に経時的に臭気が増加し、さらには、汗染み汚れの原因ともなっていた。
また、スポーツブラ装着時の発汗も同様に、胸部の直接的な発汗のほか、首筋や胸上の汗が胸の谷間を伝ってアンダーバスト部に集中してブラジャーを湿らせてしまうことから、湿って不快感を伴うと共に経時的に臭気が増加ししてしまう、といった問題があった。
【０００４】
このような吹き出た汗による不快感を防御すべく、被服に装着され、該被服を着た人の人体各所から吹き出る汗を拭い取る汗吸収用のパッドが、従来から多く提案されている。
上記提案として、例えば、ヘルメットを着用して作業などを行うことにより噴き出した汗をその場で吸収することができて、汗が顔を流れ落ちる不快感を解消し、又、タオルなどで拭き取るという手間を省くことができる「ヘルメット用汗取パッド」（特許文献１参照）が提案され、公知技術となっている。具体的には、粘着剤層をパッド本体の片面に設けて、ヘルメットの帽体の中に緩衝用などとして装着された内装部材の内側で、額などと直に接触する箇所に上記の粘着剤によって止着可能な大きさに形成される構造となっている。
【０００５】
しかしながら、かかる「ヘルメット用汗取パッド」の提案は、ヘルメット用に限定されるものであって、汗が顔を流れ落ちる不快感を解消し、タオルなどで拭き取るという手間を省くことができる機能ならびに汗の臭いを消臭する機能を有するヘルメット用の汗取パッドであり、ヘルメットと額の間に大きく空間が存することによって、ヘルメットに当該汗取パッドを安定的に固定し装着することが難しい、といった問題があるものであった。
【０００６】
また、汗を吸収するためのシート本体と衣服への粘着層とを備え、衣服への貼着状態の保持性に優れた「脇用汗取りパッド」（特許文献２参照）が提案され、公知技術となっている。具体的には、折れ曲がりを容易にするための屈曲用ラインが、該シート本体の中央部を通る直線である基準線の両側に位置する第１領域と第２領域で各々基準線から離れる側に凸形状をなす弧状の第１屈曲用ライン及び第２屈曲用ラインとして形成された脇用汗取りパッドである。
【０００７】
しかしながら、かかる「脇用汗取りパッド」の提案は、被服に装着されるものの、脇用に限定されるものであって、脇汗を吸収して不快感を解消できると共に、被服における脇の汗染みを防止できる機能を有する汗取りパッドであり、脇部にフィットするべく独特の形状を有するもので、被服の他所への装着はできず、用途が限定される構造であった。
【０００８】
本出願人は、以上のような従来から提案されている汗吸収パッドにおける問題点に着目し、装着が容易であると共に装着時の安定感が得られ、且つ、装着箇所を選ばず被服における汗が集中する箇所に装着可能な汗吸収パッドを開発し、本考案における「被服用汗吸収パッド」の提案に至るものである。
【先行技術文献】
【特許文献】
【０００９】
【特許文献１】実用新案登録第３０２５９３４号公報
【特許文献２】特開２０１４−１２９６４１号公報
【考案の概要】
【考案が解決しようとする課題】
【００１０】
本考案は、上記事情に鑑み、夏場や高温作業時、あるいは運動時における流れ出る汗を効率的に吸収することができると共に、交換容易性・装着容易性・装着安定性を常時得られる被服用汗吸収パッドを提供することを課題とするものである。
【課題を解決するための手段】
【００１１】
上記課題を解決するため、本考案は、被服の内側に装着される汗吸収パッドであって、高分子吸水ポリマーから成る汗吸着材を表層シート体で包含して所要長さ・幅を有するパッド本体に成形して成り、該パッド本体の裏面には被服への装着手段が備えられると共に、該パッド本体の表面所定箇所には被服に対する装着位置を決定するための一乃至複数の位置決め表記が付されて成る手段を採る。
【００１２】
また、本考案は、前記パッド本体の裏面において、表層シート体と装着手段との間に樹脂フィルムが介在されて成る手段を採る。
【００１３】
さらに、本考案、前記パッド本体における表層シート体あるいは汗吸着材のいずれか一方若しくは両方に、清涼感を付与する清涼成分あるいは芳香作用を付与する香料成分のいずれか一方もしくは両方が塗布あるいは含浸されて成る手段を採る。
【００１４】
またさらに、本考案は、前記パッド本体における表層シート体に、銀ナノ粒子を担持させて成る手段を採る。
【００１５】
さらにまた、本考案は、前記パッド本体の表面に、エンボス加工が施されて成る手段を採る。
【００１６】
またさらに、本考案は、前記被服がワイシャツであり、該ワイシャツの襟部に装着される手段を採る。
【００１７】
そしてまた、本考案は、前記被服がスポーツ用ブラジャー（スポーツブラ）であり、該スポーツ用ブラジャーのアンダーバスト部に装着される手段を採る。
【考案の効果】
【００１８】
本考案にかかる被服用汗吸収パッドによれば、流れ出る汗を効率的に吸収するだけでなく、特にワイシャツの襟部やスポーツブラのアンダーバスト部といった被服における汗が集中し易い箇所に、容易に取り付け取り外しができる、といった優れた効果を奏する。
【００１９】
また、本考案にかかる被服用汗吸収パッドによれば、パッド本体の裏面であって表層シート体と装着手段との間に樹脂フィルムを介在させることで、汗による装着手段の装着力（粘着力）の低下を防止することができると共に、吸収した汗が被服に染み出るのを防止し、さらにパッド本体を被服から外す際に、汗の吸収により強度の弱まった表層シート体が破れてしまうのを防ぐことができる、といった優れた効果を奏する。
【００２０】
さらに、本考案にかかる被服用汗吸収パッドによれば、パッド本体における表層シート体あるいは汗吸着材のいずれか一方若しくは両方に、清涼感を付与するメントールを主成分としエリスリトールまたはキシリトール等の多糖類を組み合わせた清涼成分や芳香作用を付与する香料成分が塗布あるいは含浸されることによって、清涼感や冷感作用、吸熱作用が得られたり、汗の臭いを香料でかき消すことが可能になる、といった優れた効果を奏する。
【００２１】
またさらに、本考案にかかる被服用汗吸収パッドによれば、パッド本体における表層シート体に、銀ナノ粒子を担持させることによって、抗菌作用ならびに消臭作用が得られる、といった優れた効果を奏する。
【００２２】
さらにまた、本考案にかかる被服用汗吸収パッドによれば、位置決め表記が付されていることによって、取り付け位置が正確且つ容易に得られる、といった優れた効果を奏する。
【００２３】
そしてまた、本考案にかかる被服用汗吸収パッドによれば、装着手段として粘着テープを使用することによって、被服の所望箇所にワンタッチで安定的に装着できる、といった優れた効果を奏する。
【図面の簡単な説明】
【００２４】
【図１】本考案にかかる被服用汗吸収パッドの実施形態を示す説明図である。（実施例１）
【図２】本考案にかかる被服用汗吸収パッドの実施形態を示す断面図である。
【図３】本考案にかかる被服用汗吸収パッドの使用態様を示す説明図である。
【図４】本考案にかかる被服用汗吸収パッドの他の実施形態を示す説明図である。（実施例２）
【図５】本考案にかかる被服用汗吸収パッドの他の実施形態を示す説明図である。（実施例４）
【考案を実施するための形態】
【００２５】
本考案にかかる被服用汗吸収パッド１０は、被服の内側に装着される汗吸収パッドであって、高分子吸水ポリマーから成る汗吸着材２０を表層シート体２１で包含して所要長さ・幅を有するパッド本体１１に成形して成り、該パッド本体１１の裏面には被服への装着手段２２が備えられると共に、該パッド本体１１の表面所定箇所には被服に対する装着位置を決定するための一乃至複数の位置決め表記２３が付されて成る手段を採ったことを最大の特徴とする。
以下、本考案にかかる被服用汗吸収パッド１０の実施形態を、図面に基づいて説明する。
【００２６】
尚、本考案にかかる被服用汗吸収パッド１０は、以下に述べる実施例に限定されるものではなく、本考案の技術的思想の範囲内、すなわち同一の作用効果を発揮できる形状や寸法等の範囲内で、適宜変更することができる。
【実施例１】
【００２７】
図1は、本考案にかかる被服用汗吸収パッド１０の実施形態を示す説明図であり、（ａ）は表側斜視図、（ｂ）は裏側斜視図である。また図２は、本考案にかかる被服用汗吸収パッド１０の実施形態を示す断面図である。さらに図３は、本考案にかかる被服用汗吸収パッド１０の使用態様を示す説明図であり、（ａ）は被服としてワイシャツＳに被服用汗吸収パッド１０を装着した場合、（ｂ）は被服としてスポーツ用ブラジャー（スポーツブラ）Ｂに被服用汗吸収パッド１０を装着した場合を示している。
本考案にかかる被服用汗吸収パッド１０は、汗吸着材２０を表層シート体２１で包含して所要長さ・幅を有するパッド本体１１に成形して成る。
【００２８】
パッド本体１１は、被服（ワイシャツＳの襟部３１やスポーツブラＢのアンダーバスト部３２）の内側に装着される汗吸収用のパッドである。該パッド本体１１の長さ・幅・厚みについては、装着対象たる被服の種類や装着箇所によって適宜決定されるもので、特に限定はなく、例えば長さ略２５〜４５ｃｍ、幅略４ｃｍ、厚み略２ｍｍ程度の帯状に形成される。該パット本体１１の裏面は、被服の内側に貼着等により取り付けられ、その状態にてパット本体１１の表面は、被服を着た人の肌と当接することとなる。
【００２９】
該パッド本体１１は、不織布によって形成される表層シート体２１と、ジェルまたは粒子状の高分子吸水ポリマーによって形成される汗吸着材２０とによって構成され、汗吸着材２０が袋状の表層シート体２１に内包されて成形されて成る。
【００３０】
表層シート体２１は、例えば不織布によって形成される二層構造を備えており、当該不織布の上層は汗を素早く吸収し且つ汗の逆戻りを防止するため、常に乾燥状態に近い肌触り感覚を得ることができるもので、その材質としてはポリオレフィン素材が好適に採用されるが、その他ポリウレタン系の素材でも構わない。また、当該不織布の下層は汗を素早く吸収し且つ多量の水を吸収する役割を持つもので、その材質としてはレーヨンが好適に採用されるが、その他パルプやＰ Ｅ Ｔ、ウレタン等の素材を採用することもできる。
【００３１】
汗吸着材２０は、ジェルまたは粒子状の高分子吸水ポリマーによって形成されて成る。具体的には、吸水量(吸水倍率)や吸水速度、保水性、徐放性、増粘性、凝集力、耐塩基性、耐候性などの特性に優れたポリアクリル酸ナトリウムを顆粒状またはゼリー状にした高吸水性高分子素材が使用される。
【００３２】
これら表層シート体２１あるいは汗吸着材２０のいずれか一方若しくは両方には、清涼成分を塗布あるいは含浸することが考え得る。すなわち、パッド本体１１が単に汗を吸収するのみならず、当接する人体に対し清涼感を付与することも可能にするもので、清涼成分はメントールを主成分とし、その他エリスリトールやキシリトール等の多糖類が組み合わさって成る。
【００３３】
また、表層シート体２１あるいは汗吸着材２０のいずれか一方若しくは両方には、香料成分を塗布あるいは含浸することも考え得る。すなわち、芳香作用を付与するものであって、汗の臭いを香料でかき消し、不快な臭いを抑制することができる。尚、塗布あるいは含浸する香料成分については限定はなく、使用者の好みによって適宜決定すれば足りるものであるが、例えば脳を刺激し運動向上能力や集中力増大能力を増大させるとされるコーヒー豆の香りやハーブ等から成る香料成分が採用される。
【００３４】
装着手段２２は、パッド本体１１の裏面に備えられ、該装着手段２２を介して被服の内側にパッド本体１１が装着されることとなる。かかる装着手段２２の具体的構成については、特に限定するものではなく、例えば被服の内側所定箇所に係止可能なフックやボタン等の係止手段や、粘着テープ２８による貼着手段などが採用可能である。
【００３５】
尚、かかる装着手段２２について、粘着テープ２８による貼着手段を採用することが望ましい。すなわち、粘着テープ２８は、被服の何処にでも貼着することができるもので、粘着テープ２８を介して被服の任意の箇所に自在にパッド本体１１を貼着することが可能となり、使用範囲が広がることとなる。
【００３６】
位置決め表記２３は、パッド本体１１の表面所定箇所に付されるもので、被服に対する装着位置を決定するべく、パッド本体１１の表面において一乃至複数の位置決め表記２３が付されている。尚、図面では、パッド本体１１の表面略中央箇所に一の位置決め表記２３を付した場合について示している。該位置決め表記２３は、被服の内側の取り付け位置に正確に装着するために設けられる目印であって、その形態はマークや絵柄、織り柄、色彩など特に限定はない。
【００３７】
ところで、かかる位置決め表記２３について、少なくともパッド本体１１の長さ方向略中央箇所に付されて成ることが望ましい。すなわち、パッド本体１１の中心箇所が判ることによって、被服に対する装着位置も容易に決定し得ることとなる。
【００３８】
以上の各構成態様から成る被服用汗吸収パッド１０は、例えば図３（ａ）に示す様に、パット本体１１の裏面に存する装着手段２２を介して、位置決め表記２３を参照しつつ、ワイシャツＳの襟部３１の内側に装着して使用される。その状態にてパット本体１１の表面は、ワイシャツＳを着た人の首回りと当接することとなり、着用者の首自体あるいは顔や頭から首筋に伝え落ちる汗を随時吸収して閉じ込める。
【００３９】
また、以上の各構成態様から成る被服用汗吸収パッド１０は、例えば図３（ｂ）に示す様に、パット本体１１の裏面に存する装着手段２２を介して、位置決め表記２３を参照しつつ、スポーツブラＢのアンダーバスト部３２の内側に装着して使用される。その状態にてパット本体１１の表面は、スポーツブラＢを着用した人の胸下部分と当接することとなり、着用者の首筋や胸上から胸の谷間を伝ってアンダーバスト部に集中して流れ落ちる汗を随時吸収して閉じ込める。
【００４０】
以上で構成される本実施形態にかかる被服用汗吸収パッド１０は、夏場や炎天下の運動時、高温下での作業時において、着用者の流れ出る汗を効率的に吸収するだけでなく、特にワイシャツＳの襟部３１やスポーツブラＢのアンダーバスト部３２といった被服における汗が集中し易い箇所に、容易に取り付け取り外しができるため、汗の不快な臭いを抑制し、被服の汗染みや皮脂汚れを防止することにも資することとなる。
【実施例２】
【００４１】
他の実施例について、図４に基づき説明する。実施例１と同様の部分は省略する。本考案にかかる被服用汗吸収パッド１０において、パッド本体１１の裏面における表層シート体２１と装着手段２２との間に樹脂フィルム２５を介在させる態様を採用し得る。
【００４２】
樹脂フィルム２５は、ビニールなど樹脂製のフィルム地から成り、パッド本体１１の裏面に貼着されて装着手段２２との間に介在される。尚、該樹脂フィルム２５の形状については、特に限定するものではないが、好ましくはパッド本体１１の裏面全体を被覆可能な形状であることが望ましい。
【００４３】
以上で構成される本実施形態にかかる被服用汗吸収パッド１０は、樹脂フィルム２５が表層シート体２１から装着手段２２への汗の通過を遮断するため、汗による装着手段２２の装着力（粘着力）の低下を防止できると共に、被服へ汗が染み出るのを防止することもでき、さらには、樹脂フィルム２５を介してパッド本体１１への装着手段２２の装備を容易にすると共に、パッド本体１１を被服から外す際に、汗で強度の弱まった表層シート体２１の破損を防止可能である。
【実施例３】
【００４４】
他の実施例について説明する。実施例１乃至２と同様の部分は省略する。本考案にかかる被服用汗吸収パッド１０において、パッド本体１１における表層シート体２１に、銀ナノ粒子２６を担持させる手段を採用し得る。
【００４５】
銀ナノ粒子２６は、ナノ銀、ナノ純銀などと呼ばれ、その構造としては通常粒径１〜１００ｎｍの球形が一般的だが、ひし形や薄いシート構造もよく見られる。また表面積が極端に大きいため多くの配位子がナノ粒子に配位することができる。さらにイオンを低い濃度で持続的に放出する性質によって、さまざまな細菌に対して抗菌作用を示すことから、抗菌性コーティング剤などに使用されるものである。
【００４６】
かかる銀ナノ粒子２６をパッド本体１１における表層シート体２１に担持させることによって、該銀ナノ粒子２６が有する抗菌作用により汗が細菌と反応することを抑え、これにより汗の臭いの発生を抑制することが可能となる。
【００４７】
以上で構成される本実施形態にかかる被服用汗吸収パッド１０は、抗菌効果ならびに汗臭防止効果が得られることから、衛生的な被服ならびに被服用汗吸収パッド１０の使用に資することとなる。
【実施例４】
【００４８】
他の実施例について、図５に基づき説明する。実施例１乃至３と同様の部分は省略する。本考案にかかる被服用汗吸収パッド１０において、パッド本体１１の表面にエンボス加工２７を施す態様を採用し得る。
【００４９】
エンボス加工２７は、パッド本体１１の表面に施されるものであって、プレス加工によって連続する凹凸状に加工される。尚、当該エンボス加工２７による凸部形状については特に限定はなく、図示の様な円形状のほか、四角その他の多角形状や、十字にクロスした形状などが採用し得る。
【００５０】
以上で構成される本実施形態にかかる被服用汗吸収パッド１０は、パッド本体１１の表面がエンボス加工２７されることによって、ズレ防止ならびに常時安定した装着感が得られると共に、多量の汗によっても表層シート体２１が着用者の肌に引っ付くことなく、快適な使用に資することとなる。
【産業上の利用可能性】
【００５１】
本考案にかかる被服用汗吸収パッドは、夏場や炎天下の運動時、高温下での作業時において、着用者の流れ出る汗を効率的に吸収するだけでなく、被服に対し容易に取り付け取り外しができるもので、上記実施例では特にワイシャツの襟部やスポーツブラのアンダーバスト部に装着した場合について説明したが、それ以外にもズボンやパンツ、下着の腰回りやワイシャツ等の袖口といった被服における汗が集中し易い任意の箇所にワンタッチで貼着することができ、それにより汗の不快な臭いを抑制すると共に、被服の汗染みや皮脂汚れを防止することが可能となる。したがって、本考案にかかる「被服用汗吸収パッド」の産業上の利用可能性は極めて大であるものと思料する。
【符号の説明】
【００５２】
１０    被服用汗吸収パッド
１１    パッド本体
２０    汗吸着材
２１    表層シート体
２２    装着手段
２３    位置決め表記
２５    樹脂フィルム
２７    エンボス加工
２８    粘着テープ
３１    襟部
３２    アンダーバスト部
Ｓ    ワイシャツ
Ｂ    スポーツ用ブラジャー（スポーツブラ）
【図１】
0003220266.tif 000003
【図２】
0003220266.tif 000004
【図３】
0003220266.tif 000005
【図４】
0003220266.tif 000006
【図５】
0003220266.tif 000007